(57)【要約】      （修正有）【課題】店員が釣銭受けから硬貨を取り出して、自動釣銭機等に投入する手間を省略できる着脱式釣銭受けを提供する。【解決手段】レジカウンタに設置される着脱式釣銭受け３００であって、レジカウンタに取り付けられる受け部２００と、受け部に着脱可能に取り付けられるトレイ部１００と、を備え、トレイ部の裏面側には磁石１５０が取り付けられており、磁石によってトレイ部１００が受け部２００に着脱可能に取り付けられる。【選択図】図３
0003208592.tif 000002
【実用新案登録請求の範囲】
【請求項１】
レジカウンタに設置される着脱式釣銭受けであって、
前記レジカウンタに取り付けられる受け部と、
当該受け部に着脱可能に取り付けられるトレイ部と、を備え、
前記トレイ部の裏面側には磁石が取り付けられており、当該磁石によって前記トレイ部は前記受け部に着脱可能に取り付けられることを特徴とする着脱式釣銭受け。
【請求項２】
前記トレイ部に、延出部が設けられ、
前記受け部に、前記延出部を差し込むことができる差込孔が設けられていることを特徴とする請求項１に記載の着脱式釣銭受け。
【考案の詳細な説明】
【技術分野】
【０００１】
本考案は、スーパーマーケット等の店舗のレジに設置される釣銭受けに関する。
【背景技術】
【０００２】
従来から、スーパーマーケット等の店舗のレジには、買い物客が代金を支払うための釣銭受けが設置されていた。具体的には、買い物客が代金として硬貨を釣銭受けに置き、次に、店員が釣銭受けから硬貨を取り出して、自動釣銭機等に投入していた。
【０００３】
しかしながら、店員が釣銭受けから硬貨を取り出して、自動釣銭機等に投入する作業は手間がかかり、その手間は硬貨の数が多いほどより顕著になっていた。
【考案の概要】
【考案が解決しようとする課題】
【０００４】
そこで、本考案は、上記問題に鑑み、店員が釣銭受けから硬貨を取り出して、自動釣銭機等に投入する手間を省略できる着脱式釣銭受けを提供するものである。
【課題を解決するための手段】
【０００５】
上記課題を解決するために、本考案の着脱式釣銭受けは、レジカウンタに設置される釣銭受けであって、前記レジカウンタに取り付けられる受け部と、当該受け部に着脱可能に取り付けられるトレイ部と、を備え、前記トレイ部の裏面側には磁石が取り付けられており、当該磁石によって前記トレイ部は前記受け部に着脱可能に取り付けられることを特徴とする。
【０００６】
上記特徴によれば、トレイ部を受け部から取り外して、硬貨が入ったトレイ部からそのまま自動釣銭機へと硬貨を投入できるので、従来のように、店員が釣銭受けから硬貨を取り出して、自動釣銭機等にいちいち投入する手間を省くことができる。さらに、トレイ部の着脱は磁石によって容易に行うことができ、利便性もよいのである。
【０００７】
また、本考案の着脱式釣銭受けは、前記トレイ部に、延出部が設けられ、前記受け部に、前記延出部を差し込むことができる差込孔が設けられていることを特徴とする。
【０００８】
上記特徴によれば、トレイ部を受け部に取り付ける際、この延出部がガイドの役割を果たすので、トレイ部を正しい定位置へと容易に取り付けることが出来る。また、延出部が受け部の差込孔に差し込まれているので、トレイ部の跳ね上がりが防止され、トレイ部が受け部から外れてしまうことを防止できる。
【考案の効果】
【０００９】
上述したように、本考案によれば、店員が釣銭受けから硬貨を取り出して、自動釣銭機等に投入する手間を省略できる。
【図面の簡単な説明】
【００１０】
【図１】（ａ）は本考案の着脱式釣銭受けのトレイ部を示す斜視図、（ｂ）は当該トレイ部の平面図、（ｃ）は当該トレイ部の側面図である。
【図２】（ａ）は本考案の着脱式釣銭受けの受け部を示す斜視図、（ｂ）は当該受け部の側面図である。
【図３】（ａ）及び（ｂ）は本考案の着脱式釣銭受けのトレイ部を受け部に取り付ける様子を示した側面図である
【図４】本考案の着脱式釣銭受けの使用態様を示すもので、（ａ）は着脱式釣銭受けを取り付けたレジカウンタの全体斜視図、（ｂ）及び（ｃ）は当該レジカウンタの正面図である。
【符号の説明】
【００１１】
１００        トレイ部
１５０        磁石
２００        受け部
３００        着脱式釣銭受け
Ｃ            レジカウンタ
【考案を実施するための形態】
【００１２】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１３】
まず、図１を参照して、本考案の着脱式釣銭受け３００のトレイ部１００について説明する。このトレイ部１００は、平坦面を備える底壁１１０と、当該底壁１１０の周縁から立ち上がる側壁１２０と、底壁１１０の前端部から下方に窪んだ凹部１３０とからなる。この凹部１３０は、底壁１１０上に置かれた硬貨を前方へ移動させて、当該硬貨を内部に収容できる形状となっている。
【００１４】
また、トレイ部１００の裏面側には、平坦面を備える取付プレート１４０が、ネジ１４１によって底壁１１０に固定されている。また、取付プレート１４０の一部は側方へ延出する延出部１４２となっている。さらに、取付プレート１４０の下面には、シート状の磁石１５０が貼り付けられている。なお、取付プレート１４０は既存のトレイにも装着することができるため、既存のトレイに取付プレート１４０を取り付けて、本考案のトレイ部１００としてもよい。
【００１５】
では、次に、図２を参照して、本考案の着脱式釣銭受け３００の受け部２００について説明する。この受け部２００は、平坦面を備える底壁２１０と、当該底壁２１０の四方の周縁から立ち上がる側壁２２０と、底壁２１０の裏面に取り付けられた略Ｌ字状の固定部２４０とからなる。
【００１６】
また、底壁２１０には、トレイ部１００の取付プレート１４０を載置することができ、さらに載置された状態で、側壁２２０はトレイ部１００の取付プレート１４０を四方から囲むことができる。そのため、底壁２１０の上に取付プレート１４０を載置すれば、取付プレート１４０は側壁２２０に囲まれるので、トレイ部１００は、四方（左右前後）へ移動しないように、受け部２００に確実に取り付けられることになる。
【００１７】
また、底壁２１０は金属製であるから、取付プレート１４０の下面に取り付けられた磁石１５０は、磁力により底壁２１０に固定されるので、トレイ部１００は受け部２００に着脱可能に取り付けられることになる。
【００１８】
さらに、側壁２２０には差込孔２３０が設けられており、後述するように、当該差込孔２３０には取付プレート１４０の延出部１４２を差し込むことができる。また、固定部２４０の下方端部は、レジカウンタ等の他の部材に固定できるようになっている。
【００１９】
では次に、図３を参照して、トレイ部１００を受け部２００へ取り付ける方法について説明する。図３（ａ）に示すように、まず、トレイ部１００の取付プレート１４０の延出部１４２を、受け部２００の側壁２２０の差込孔２３０へ差し込む。その後、図３（ａ）から（ｂ）に示すように、延出部１４２が差し込まれた状態のままで、その差し込み部分を基点として、トレイ部１００を下方へ下ろせば、トレイ部１００の磁石１５０が受け部２００の底壁２１０上の定位置にちょうど載置されることになり、トレイ部１００の取り付けが完了する。
【００２０】
このように、トレイ部１００を取り付ける際、この延出部１４２がガイドの役割を果たすので、トレイ部１００を正しい定位置へと容易に取り付けることが出来る。なお定位置とは、トレイ部１００の取付プレート１４０が、受け部２００の側壁２２０に囲まれる位置のことである。
【００２１】
また、トレイ部１００を取り外す際は、まず、トレイ部１００の凹部１３０側を上方へ押し上げ、磁石１５０を底壁２１０から外す。そして、トレイ部１００の延出部１４２を受け部２００の差込孔２３０から引き抜くようにトレイ部１００をスライドさせれば、トレイ部１００を受け部２００から完全に取り外すことができる。
【００２２】
なお、店員がトレイ部１００の底壁１１０上に置かれた硬貨を凹部１３０へ掻き出すようにして移動させる際、凹部１３０には、人の指から下方へ向かう力がかかる場合がある。すると、その力によって、凹部１３０の反対側が跳ね上がり、トレイ部１００が受け部２００から外れてしまう虞がある。しかしながら、凹部１３０の反対側では、トレイ部１００の延出部１４２が、受け部２００の差込孔２３０に差し込まれているので、トレイ部１００の跳ね上がりが防止され、トレイ部１００が受け部２００から外れてしまうことを防止できるのである。
【００２３】
では、次に図４を参照して、本考案の着脱式釣銭受け３００の使用態様について説明する。図４（ａ）及び（ｂ）に示すように、受け部２００の固定部２４０が、精算所等に設置されたレジカウンタＣの一部に固定されて、着脱式釣銭受け３００はレジカウンタＣに取り付けられている。そして、買い物客が代金をトレイ部１００に載せた後、店員はトレイ部１００の底壁１１０上にある硬貨を凹部１３０へ移動させる。次に、図４（ｃ）に示すように、店員はトレイ部１００を受け部２００から外し、凹部１３０から自動釣銭機Ｒへとそのまま硬貨を投入する。又は、凹部１３０からドロアＤ（保管用引き出し）へとそのまま硬貨を投入する。その後、店員がトレイ部１００を受け部２００へ再度取り付ければ、図４（ａ）及び（ｂ）に示す状態となり、一連の作業が完了する。
【００２４】
このように、本考案の着脱式釣銭受け３００によれば、トレイ部１００を受け部２００から取り外すことができ、トレイ部１００からそのまま自動釣銭機等へ硬貨を投入できるので、従来のように、店員が釣銭受けから硬貨を取り出して、自動釣銭機等にいちいち投入する手間を省くことができる。さらに、トレイ部１００の着脱は磁石によって容易に行うことができ、利便性もよいのである。
【００２５】
なお、本実施例では、トレイ部１００が凹部１３０を備えているが、これに限定されず、トレイ部１００が凹部１３０を備えない皿状の形状など、適宜任意の形状を採用することができる。また、本考案のレジカウンタとは、釣銭受けを設置する必要がある構造物全般を意味する。
【００２６】
なお、本考案の釣銭受けは、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003208592.tif 000003
【図２】
0003208592.tif 000004
【図３】
0003208592.tif 000005
【図４】
0003208592.tif 000006